(57)【要約】【課題】  手書きのＤＭ等の画像をファクシミリ装置で送信するだけで、所望の配信条件に従って、その画像を顧客の携帯端末に一斉配信できると共に、その画像を携帯端末の機種の相違に無関係に正常に表示できる画像配信方法、システム及びプログラムを提供する。【解決手段】  ウェブサイトでの携帯電話機１００のＥメールアドレスの登録時にその機種判別情報を取得して携帯電話機１００の機種を判別し、そのＥメールアドレスと機種とを関連づけてデータベース９０に記録する。ファクシミリ装置２００から送信されたＤＭ画像を携帯電話機１００の各機種で正常に表示できるように画像変換して、複数種類のＤＭ画像データを生成する。選択されたＥメールアドレス宛にそれら携帯電話機１００の機種に適合するＤＭ画像データをそれぞれ添付してＥメールを送信する。【選択図】    図１
2011096150.tif 000002
【特許請求の範囲】
【請求項１】
契約送信元から送信されてきた画像を含む電子メールを、当該契約送信元の顧客の携帯端末の電子メールアドレスあてに配信する方法であって、
所定のウェブサイトで携帯端末の電子メールアドレスと送信元識別情報とが登録されるのを待機し、
前記ウェブサイトで携帯端末の電子メールアドレスと送信元識別情報とが登録されると、その電子メールアドレスとその送信元識別情報とを関連づけて記憶し、
前記ウェブサイトにおける携帯端末の電子メールアドレスと送信元識別情報の登録時に、その携帯端末の機種判別情報を取得し、
取得した前記機種判別情報を用いて前記登録に係る前記携帯端末の機種を判別し、
判別した前記携帯端末の機種と、登録された前記電子メールアドレス及び前記送信元識別情報とを関連づけて記憶し、
前記契約送信元からファクシミリ装置により送信されて来た画像を画像受信手段で受信すると、その画像が所定の複数機種の携帯端末でそれぞれ正常に表示されるように調整した複数の調整済み画像データを生成し、
複数の前記調整済み画像データを前記複数機種のそれぞれに関連付けて記憶し、
配信時には、前記契約送信元により指定された配信条件にしたがい、登録された前記電子メールアドレスの中から前記画像を配信すべき電子メールアドレスを選択すると共に、これら電子メールアドレスの各々に対応する携帯端末の機種に適合する前記調整済み画像データを選択し、さらに、選択された前記調整済み画像データを含み且つ選択された前記電子メールアドレスの各々を宛先とした複数の電子メールを生成して送信する
ことを特徴とする画像配信方法。
【請求項２】
前記ウェブサイトにおける携帯端末の電子メールアドレスと送信元識別情報の登録時に使用される前記機種判別情報が、前記携帯端末のブラウザのユーザーエージェント（User Agent）とされている請求項１に記載の画像配信方法。
【請求項３】
前記画像受信手段が、前記契約送信元から送信されて来たデジタル画像データを受信する機能をさらに有しており、複数の前記調整済み画像データが、こうして受信したデジタル画像データを用いて生成される請求項１または２に記載の画像配信方法。
【請求項４】
前記携帯端末が前記画像の受信または表示ができない機種であるか否かを判断し、前記画像の受信または表示ができない機種である場合には、前記電子メールには前記調整済み画像データが添付されず、その代わりに、前記画像を閲覧できるウェブサイトのＵＲＬが記述される請求項１〜３にいずれか1項に記載の画像配信方法。
【請求項５】
契約送信元から送信されてきた画像を含む電子メールを、当該契約送信元の顧客の携帯端末の電子メールアドレスあてに配信するシステムであって、
携帯端末の電子メールアドレスと送信元識別情報とを登録するためのウェブサイトを生成するウェブサイト生成手段と、
前記ウェブサイトで携帯端末の電子メールアドレスと送信元識別情報とが登録されると、その電子メールアドレスとその送信元識別情報とを関連づけて記憶する第１記憶手段と、
前記ウェブサイトにおける携帯端末の電子メールアドレスと送信元識別情報の登録時に、その携帯端末の機種判別情報を取得する機種判別情報取得手段と、
取得した前記機種判別情報を用いて前記登録に係る前記携帯端末の機種を判別する機種判別手段と、
判別した前記携帯端末の機種と、登録された前記電子メールアドレス及び前記送信元識別情報とを関連づけて記憶する第２記憶手段と、
前記契約送信元からファクシミリ装置により送信されて来た画像を受信する受信手段と、
前記画像受信手段で受信した前記画像が、所定の複数機種の携帯端末でそれぞれ正常に表示されるように調整した複数の調整済み画像データを生成する調整済み画像データ生成手段と、
複数の前記調整済み画像データを前記複数機種のそれぞれに関連付けて記憶する第３記憶手段と
前記契約送信元により指定された配信条件にしたがい、登録された前記電子メールアドレスの中から前記画像を配信すべき電子メールアドレスを選択すると共に、これら電子メールアドレスの各々に対応する携帯端末の機種に適合する前記調整済み画像データを選択し、さらに、選択された前記調整済み画像データを含み且つ選択された前記電子メールアドレスの各々を宛先とした複数の電子メールを生成して送信する電子メール配信手段と
を備えている
ことを特徴とする画像配信システム。
【請求項６】
前記ウェブサイトにおける携帯端末の電子メールアドレスと送信元識別情報の登録時に使用される前記機種判別情報が、前記携帯端末のブラウザのユーザーエージェント（User Agent）とされている請求項５に記載の画像配信システム。
【請求項７】
前記受信手段が、前記契約送信元から送信されて来たデジタル画像データを受信する機能をさらに有しており、複数の前記調整済み画像データが、こうして受信したデジタル画像データを用いて生成される請求項５または６に記載の画像配信システム。
【請求項８】
前記携帯端末が前記画像の受信または表示ができない機種であるか否かを判断し、前記画像の受信または表示ができない機種である場合には、前記電子メールには前記調整済み画像データが添付されず、その代わりに、前記画像を閲覧できるウェブサイトのＵＲＬが記述される請求項５〜７のいずれか1項に記載の画像配信システム。
【請求項９】
契約送信元から送信されてきた画像を含む電子メールを、当該契約送信元の顧客の携帯端末の電子メールアドレスあてに配信するプログラムであって、
所定のウェブサイトで携帯端末の電子メールアドレスと送信元識別情報とが登録されるのを待機する機能と、
前記ウェブサイトで携帯端末の電子メールアドレスと送信元識別情報とが登録されると、その電子メールアドレスとその送信元識別情報とを関連づけて記憶する機能と、
前記ウェブサイトにおける携帯端末の電子メールアドレスと送信元識別情報の登録時に、その携帯端末の機種判別情報を取得する機能と、
取得した前記機種判別情報を用いて前記登録に係る前記携帯端末の機種を判別する機能と、
判別した前記携帯端末の機種と、登録された前記電子メールアドレス及び前記送信元識別情報とを関連づけて記憶する機能と、
前記契約送信元からファクシミリ装置により送信されて来た画像を画像受信手段で受信すると、その画像が所定の複数機種の携帯端末でそれぞれ正常に表示されるように調整した複数の調整済み画像データを生成する機能と、
複数の前記調整済み画像データを前記複数機種のそれぞれに関連付けて記憶する機能と、
配信時には、前記契約送信元により指定された配信条件にしたがい、登録された前記電子メールアドレスの中から前記画像を配信すべき電子メールアドレスを選択すると共に、これら電子メールアドレスの各々に対応する携帯端末の機種に適合する前記調整済み画像データを選択し、さらに、選択された前記調整済み画像データを含み且つ選択された前記電子メールアドレスの各々を宛先とした複数の電子メールを生成して送信する機能と
をコンピュータに実行させることを特徴とする画像配信プログラム。
【請求項１０】
前記ウェブサイトにおける携帯端末の電子メールアドレスと送信元識別情報の登録時に使用される前記機種判別情報が、前記携帯端末のブラウザのユーザーエージェント（User Agent）とされている請求項９に記載の画像配信プログラム。
【請求項１１】
前記画像受信手段が、前記契約送信元から送信されて来たデジタル画像データを受信する機能をさらに有しており、複数の前記調整済み画像データが、こうして受信したデジタル画像データを用いて生成される請求項９または１０に記載の画像配信プログラム。
【請求項１２】
前記携帯端末が前記画像の受信または表示ができない機種であるか否かを判断し、前記画像の受信または表示ができない機種である場合には、前記電子メールには前記調整済み画像データが添付されず、その代わりに、前記画像を閲覧できるウェブサイトのＵＲＬが記述される請求項９〜１１のいずれか1項に記載の画像配信プログラム。
【発明の詳細な説明】
【技術分野】
【０００１】
本発明は、携帯電話機、ＰＤＡ（Personal Digital Assistant）、ＰＨＳ（Personal Handy  phone System）等の携帯端末への画像配信方法、画像配信システム及び画像配信プログラムに関し、さらに言えば、これらの携帯端末の機種の相違に起因する画像表示不良を生じることなく、所望の画像（例えば、ファクシミリ装置で送信されて来た手書きのダイレクトメール（ＤＭ）や礼状、挨拶状、誕生祝い等の画像）を不特定多数の携帯端末に一斉配信することができる画像配信方法、画像配信システム及び画像配信プログラムに関する。
【背景技術】
【０００２】
ファクシミリ装置で送られて来た画像を受信し、それを画像データに変換して電子メール（Electronic Mail, 以下、Ｅメールともいう）に添付して送信する技術は、以前から知られている。
【０００３】
例えば、特許文献１（特開２００８−２５７４８５号公報）には、送信先が携帯電話機の電子メールアドレスであるか否かを判定した後、送信すべき画像（ファクシミリ送信されてきた画像）を当該携帯電話機の表示画面に表示可能なサイズ及びファイル形式に変換し、その変換された画像を電子メールに添付して前記送信先に送信する電子メール通信方法が開示されている（請求項９、図５、図６を参照）。
【０００４】
特許文献２（特開２００８−０９８９７９号公報）には、画像データをファクシミリ受信可能なファクシミリ受信手段と、そのファクシミリ受信手段により受信された画像データのデータ形式を、シングルページ対応の画像形式の画像データに変換する変換手段と、その変換手段により生成されたシングルページ対応の画像形式の画像データを添付した電子メールを作成し、当該電子メールの送信処理を行うメール送信手段とを備えた複合機が開示されている（請求項１、図１〜４を参照）。
【０００５】
この複合機によれば、携帯電話機をはじめとするマルチページの画像ファイルを閲覧できない端末装置であっても、ファクシミリ受信した画像を閲覧することが可能である。前記電子メールの送信先アドレスとしては、電子メール利用可能な携帯電話機のメールアドレスが挙げられている。シングルページ対応の画像形式としては、ＪＰＥＧ（Joint Photographic Experts Group）が、マルチページ対応の画像形式としてはＴＩＦＦ（Tagged Image File Format）が挙げられている。
【０００６】
特許文献３（特開２００２−０２７１９５号公報）には、ユーザからファクシミリにより送信され、送信先の電子メールアドレスを記載したファックス原稿をインターネットの所定のアクセスポイントで受信し、この受信したファックス原稿のうち電子メールアドレスを読み取り手段により読み込んでから、当該ファックス原稿の電子メールアドレス以外の部分をコンピュータで閲覧可能な画像ファイルに変換し、この画像ファイルを添付ファイルとする電子メールを作成し、この電子メールを前記読み取り手段で読み出された電子メールアドレスに送信する、ファックス原稿の電子メール送信方法が開示されている（請求項１、図１〜４を参照）。
【特許文献１】特開２００８−２５７４８５号公報
【特許文献２】特開２００８−０９８９７９号公報
【特許文献３】特開２００２−０２７１９５号公報
【発明の開示】
【発明が解決しようとする課題】
【０００７】
ところで、携帯電話機の画像表示機能は、仕様が統一されていないため、機種毎に表示可能な画像の大きさや容量等が異なる。例えば、画像を表示するスクリーン（画面）のサイズが異なっているし、添付ファイルの付いたＥメールの受信が可能か否かでも異なっている。また、添付ファイルの付いたＥメールの受信が可能な場合でも、受信可能なファイルサイズやファイル形式が異なっているし、表示可能な画像サイズも異なっている。このように、携帯電話機の画像表示機能は機種毎に大きくばらついているのである。
【０００８】
このため、不特定多数の携帯電話機に同一画像を送信すると、その画像が見られない（つまり画像がまったく表示されない）、あるいは、画像は表示されるがそのサイズがスクリーンのサイズに合致しない、つまり、スクリーンに表示されるが一部しか表示されなかったり、表示された画像が小さすぎて細部がよく見えなかったりする、といった問題がしばしば発生する。このような問題は、携帯電話機のキャリアが同一であっても発生することがある。例えば、同じ「ａｕ」の携帯電話機同士であっても、一方の携帯電話機から送信した画像データを他方の携帯電話機で正常に表示できないことがある。
【０００９】
このような携帯電話機の機種毎に異なる画像表示機能に対する対策は、上述した特許文献１〜３に開示された技術ではまったく施されていない。
【００１０】
すなわち、上述した特許文献１の電子メール通信方法では、前記送信先が携帯電話機であるか否かの判定を、電子メールアドレスのドメイン名を利用して行って、送信すべき画像（ファクシミリ送信されてきた画像）を携帯電話機の表示画面に表示可能なサイズ及びファイル形式に変換しているから、携帯電話機の機種毎の表示性能の差異に起因する画像の表示不良は考慮されてはいないことが明らかである。
【００１１】
上述した特許文献２の複合機は、ファクシミリ受信手段により受信した画像データのデータ形式を、シングルページ対応の画像形式の画像データに変換して、マルチページの画像ファイルを閲覧できない携帯電話機で表示できるようにするだけであり、やはり、携帯電話機の機種毎の表示性能の差異に起因する画像の表示不良は考慮されていない。
【００１２】
上述した特許文献３のファックス原稿の電子メール送信方法は、受信したファックス原稿中の電子メールアドレスを読み取ると共に、当該ファックス原稿の電子メールアドレス以外の部分を画像ファイルに変換し、その画像ファイルを電子メールに添付して送信するだけであるから、やはり、携帯電話機の機種毎の表示性能の差異に起因する画像の表示不良は考慮されていない。
【００１３】
また、コンピュータや携帯電話機の操作が苦手な人や慣れていない人でも、容易に画像の送信ができることが望ましい。
【００１４】
本発明は、このような事情を考慮してなされたもので、その目的とするところは、契約送信元（例えば店舗や事務所）の担当者は、コンピュータの操作を一切することなく、表現力の豊富な手書きのＤＭや礼状、挨拶状、誕生祝い等の種々の画像をファクシミリ装置で所定の宛先に送信するだけで、所望の配信条件にしたがって、その画像を当該契約送信元の顧客の携帯端末に一斉配信することができると共に、その画像をそれら顧客の携帯端末の機種の相違に無関係に正常に表示させることができる、画像配信方法、画像配信システム及び画像配信プログラムを提供することにある。
【００１５】
本発明の他の目的は、契約送信元の顧客は、所定のウェブサイトにアクセスして自己の携帯端末の電子メールアドレスと送信元識別情報を登録するだけで足り、自己の個人情報や携帯端末の機種の登録等の面倒な作業が不要である、画像配信方法、画像配信システム及び画像配信プログラムを提供することにある。
【００１６】
本発明のさらに他の目的は、送信元は、顧客の個人情報の漏洩といった問題を生じることなく顧客の携帯端末の電子メールアドレスの登録数を増やすことができる、画像配信方法、画像配信システム及び画像配信プログラムを提供することにある。
【００１７】
ここに明記しない本発明の他の目的は、以下の説明及び添付図面から明らかである。
【課題を解決するための手段】
【００１８】
（１）本発明の第１の観点によれば、画像配信方法が提供される。この画像配信方法は、契約送信元から送信されてきた画像を含む電子メールを、当該契約送信元の顧客の携帯端末の電子メールアドレスあてに配信する方法であって、
所定のウェブサイトで携帯端末の電子メールアドレスと送信元識別情報とが登録されるのを待機し、
前記ウェブサイトで携帯端末の電子メールアドレスと送信元識別情報とが登録されると、その電子メールアドレスとその送信元識別情報とを関連づけて記憶し、
前記ウェブサイトにおける携帯端末の電子メールアドレスと送信元識別情報の登録時に、その携帯端末の機種判別情報を取得し、
取得した前記機種判別情報を用いて前記登録に係る前記携帯端末の機種を判別し、
判別した前記携帯端末の機種と、登録された前記電子メールアドレス及び前記送信元識別情報とを関連づけて記憶し、
前記契約送信元からファクシミリ装置により送信されて来た画像を画像受信手段で受信すると、その画像が所定の複数機種の携帯端末でそれぞれ正常に表示されるように調整した複数の調整済み画像データを生成し、
複数の前記調整済み画像データを前記複数機種のそれぞれに関連付けて記憶し、
配信時には、前記契約送信元により指定された配信条件にしたがい、登録された前記電子メールアドレスの中から前記画像を配信すべき電子メールアドレスを選択すると共に、これら電子メールアドレスの各々に対応する携帯端末の機種に適合する前記調整済み画像データを選択し、さらに、選択された前記調整済み画像データを含み且つ選択された前記電子メールアドレスの各々を宛先とした複数の電子メールを生成して送信する
ことを特徴とするものである。
【００１９】
本発明の第１の観点による画像配信方法は、上述した構成を有しているので、前記ウェブサイトでの携帯端末の電子メールアドレスと送信元識別情報の登録の際には、その電子メールアドレスとその送信元識別情報とが関連づけて記憶されるが、登録時に取得される機種判別情報により前記携帯端末の機種が判明する。判明した前記携帯端末の機種は、登録された前記電子メールアドレス及び前記送信元識別情報と関連づけて記憶されるので、前記送信元識別情報に対応する契約送信元の顧客が所有する携帯端末（つまり顧客携帯端末）の機種と電子メールアドレスとが、組み合わせて記憶される。
【００２０】
このため、その顧客は、前記ウェブサイトにアクセスして自己の携帯端末の電子メールアドレスと送信元識別情報とを登録するだけで足り、自己の個人情報や携帯端末の機種の登録等の面倒な作業が不要である。よって、前記契約送信元は、顧客の個人情報の漏洩といった問題を生じることなく前記顧客携帯端末の電子メールアドレスの登録数を増やすことができる。
【００２１】
前記契約送信元からファクシミリ装置により送信されてきた画像を前記画像受信手段で受信すると、その画像が所定の複数機種の携帯端末でそれぞれ正常に表示されるように調整した複数の調整済み画像データが生成される。そして、生成された複数の調整済み画像データは、前記所定の複数機種に関連付けて記憶される。
【００２２】
前記契約送信元舗により指定された配信条件にしたがって前記画像を配信する際には、その配信条件にしたがって登録済みの前記電子メールアドレスの中から前記画像を配信すべきものが選択されると共に、これら選択された前記電子メールアドレスの各々に対応して前記顧客の携帯端末の機種に適合する前記調整済み画像データが選択される。そして、こうして選択された前記調整済み画像データを含み且つ選択された前記電子メールアドレスの各々を宛先とした複数の電子メールが生成され、送信される。
【００２３】
よって、前記契約送信元の担当者は、コンピュータの操作を一切することなく、表現力の豊富な手書きのＤＭや礼状、挨拶状、誕生祝い等の種々の画像をファクシミリ装置で送信するだけで、所望の配信条件にしたがって、その画像を当該契約送信元の顧客の携帯端末に一斉配信することができると共に、その画像を顧客の携帯端末の機種の相違に無関係に正常に表示させることができる。
【００２４】
本発明の第１の観点による画像配信方法の好ましい例では、前記ウェブサイトにおける携帯端末の電子メールアドレスと送信元識別情報の登録時に使用される前記機種判別情報が、前記携帯端末のブラウザのユーザーエージェント（User Agent）とされる。「ユーザーエージェント」とは、ＨＴＴＰ（HyperText Transfer Protocol) Ｒｅｑｕｅｓｔのヘッダ情報のＨＴＴＰ＿ＵＳＥＲ＿ＡＧＥＮＴの内容である。この例では、携帯端末の機種判別が容易に実現できる利点がある。
【００２５】
しかし、顧客の携帯端末の機種判別に使用できる情報であれば、ユーザーエージェント以外の機種判別情報も使用可能である。
【００２６】
本発明の第１の観点による画像配信方法の他の好ましい例では、前記画像受信手段が、前記契約送信元から送信されて来たデジタル画像データを受信する機能をさらに有しており、複数の前記調整済み画像データが、こうして受信したデジタル画像データを用いて生成される。この例では、場合に応じて、ファクシミリ装置による画像とデジタル画像データのいずれか便利な方を利用することができる利点がある。
【００２７】
本発明の第１の観点による画像配信方法のさらに他の好ましい例では、前記携帯端末が前記画像の受信または表示ができない機種であるか否かを判断し、前記画像の受信または表示ができない機種である場合には、前記電子メールには前記調整済み画像データが添付されず、その代わりに、前記画像を閲覧できるウェブサイトのＵＲＬが記述される。この例では、携帯端末が前記画像の受信または表示ができない機種であっても、前記画像の表示が可能となる利点がある。
【００２８】
（２）  本発明の第２の観点によれば、画像配信システムが提供される。この画像配信システムは、契約送信元から送信されてきた画像を含む電子メールを、当該契約送信元の顧客の携帯端末の電子メールアドレスあてに配信するシステムであって、
携帯端末の電子メールアドレスと送信元識別情報とを登録するためのウェブサイトを生成するウェブサイト生成手段と、
前記ウェブサイトで携帯端末の電子メールアドレスと送信元識別情報とが登録されると、その電子メールアドレスとその送信元識別情報とを関連づけて記憶する第１記憶手段と、
前記ウェブサイトにおける携帯端末の電子メールアドレスと送信元識別情報の登録時に、その携帯端末の機種判別情報を取得する機種判別情報取得手段と、
取得した前記機種判別情報を用いて前記登録に係る前記携帯端末の機種を判別する機種判別手段と、
判別した前記携帯端末の機種と、登録された前記電子メールアドレス及び前記送信元識別情報とを関連づけて記憶する第２記憶手段と、
前記契約送信元からファクシミリ装置により送信されて来た画像を受信する受信手段と、
前記画像受信手段で受信した前記画像が、所定の複数機種の携帯端末でそれぞれ正常に表示されるように調整した複数の調整済み画像データを生成する調整済み画像データ生成手段と、
複数の前記調整済み画像データを前記複数機種のそれぞれに関連付けて記憶する第３記憶手段と
前記契約送信元により指定された配信条件にしたがい、登録された前記電子メールアドレスの中から前記画像を配信すべき電子メールアドレスを選択すると共に、これら電子メールアドレスの各々に対応する携帯端末の機種に適合する前記調整済み画像データを選択し、さらに、選択された前記調整済み画像データを含み且つ選択された前記電子メールアドレスの各々を宛先とした複数の電子メールを生成して送信する電子メール配信手段と
を備えていることを特徴とするものである。
【００２９】
本発明の第２の観点による画像配信システムは、上述した構成を有しているので、前記ウェブサイトでの携帯端末の電子メールアドレスと送信元識別情報の登録の際には、その電子メールアドレスとその送信元識別情報とが関連づけて前記第１記憶手段に記憶されるが、登録時に前記機種判別情報取得手段で取得される機種判別情報により前記携帯端末の機種が判明する。判明した前記携帯端末の機種は、登録された前記電子メールアドレス及び前記送信元識別情報と関連づけて前記第２記憶手段に記憶されるので、前記送信元識別情報に対応する契約送信元の顧客が所有する携帯端末（つまり顧客携帯端末）の機種と電子メールアドレスとが、組み合わせて記憶される。
【００３０】
このため、その顧客は、前記ウェブサイトにアクセスして自己の携帯端末の電子メールアドレスと送信元識別情報とを登録するだけで足り、自己の個人情報や携帯端末の機種の登録等の面倒な作業が不要である。よって、前記契約送信元は、顧客の個人情報の漏洩といった問題を生じることなく前記顧客携帯端末の電子メールアドレスの登録数を増やすことができる。
【００３１】
前記契約送信元からファクシミリ装置により送信されてきた画像を前記画像受信手段で受信すると、その画像が所定の複数機種の携帯端末でそれぞれ正常に表示されるように調整した複数の調整済み画像データが生成される。そして、生成された複数の調整済み画像データは、前記所定の複数機種に関連付けて前記第３記憶手段に記憶される。
【００３２】
前記契約送信元により指定された配信条件にしたがって前記画像を配信する際には、その配信条件にしたがって登録済みの前記電子メールアドレスの中から前記画像を配信すべきものが選択されると共に、これら選択された前記電子メールアドレスの各々に対応して前記顧客の携帯端末の機種に適合する前記調整済み画像データが選択される。そして、こうして選択された前記調整済み画像データを含み且つ選択された前記電子メールアドレスの各々を宛先とした複数の電子メールが生成され、送信される。
【００３３】
よって、前記契約送信元の担当者は、コンピュータの操作を一切することなく、表現力の豊富な手書きのＤＭや礼状、挨拶状、誕生祝い等の画像をファクシミリ装置で送信するだけで、所望の配信条件にしたがって、その画像を当該契約送信元の顧客の携帯端末に一斉配信することができると共に、その画像を顧客の携帯端末の機種の相違に無関係に正常に表示させることができる。
【００３４】
本発明の第２の観点による画像配信システムの好ましい例では、前記ウェブサイトにおける携帯端末の電子メールアドレスと送信元識別情報の登録時に使用される前記機種判別情報が、前記携帯端末のブラウザのユーザーエージェント（User Agent）とされる。この例では、携帯端末の機種判別が容易に実現できる利点がある。
【００３５】
しかし、顧客の携帯端末の機種判別に使用できる情報であれば、ユーザーエージェント以外の機種判別情報も使用可能である。
【００３６】
本発明の第２の観点による画像配信システムの他の好ましい例では、前記受信手段が、前記契約送信元から送信されて来たデジタル画像データを受信する機能をさらに有しており、複数の前記調整済み画像データが、こうして受信したデジタル画像データを用いて生成される。この例では、場合に応じて、ファクシミリ装置による画像とデジタル画像データのいずれか便利な方を利用することができる利点がある。
【００３７】
本発明の第２の観点による画像配信システムのさらに他の好ましい例では、前記携帯端末が前記画像の受信または表示ができない機種であるか否かを判断し、前記画像の受信または表示ができない機種である場合には、前記電子メールには前記調整済み画像データが添付されず、その代わりに、前記画像を閲覧できるウェブサイトのＵＲＬが記述される。この例では、携帯端末が前記画像の受信または表示ができない機種であっても、前記画像の表示が可能となる利点がある。
【００３８】
（３）本発明の第３の観点によれば、画像配信プログラムが提供される。この画像配信プログラムは、契約送信元から送信されてきた画像を含む電子メールを、当該契約送信元の顧客の携帯端末の電子メールアドレスあてに配信するプログラムであって、
所定のウェブサイトで携帯端末の電子メールアドレスと送信元識別情報とが登録されるのを待機する機能と、
前記ウェブサイトで携帯端末の電子メールアドレスと送信元識別情報とが登録されると、その電子メールアドレスとその送信元識別情報とを関連づけて記憶する機能と、
前記ウェブサイトにおける携帯端末の電子メールアドレスと送信元識別情報の登録時に、その携帯端末の機種判別情報を取得する機能と、
取得した前記機種判別情報を用いて前記登録に係る前記携帯端末の機種を判別する機能と、
判別した前記携帯端末の機種と、登録された前記電子メールアドレス及び前記送信元識別情報とを関連づけて記憶する機能と、
前記契約送信元からファクシミリ装置により送信されて来た画像を画像受信手段で受信すると、その画像が所定の複数機種の携帯端末でそれぞれ正常に表示されるように調整した複数の調整済み画像データを生成する機能と、
複数の前記調整済み画像データを前記複数機種のそれぞれに関連付けて記憶する機能と、
配信時には、前記契約送信元により指定された配信条件にしたがい、登録された前記電子メールアドレスの中から前記画像を配信すべき電子メールアドレスを選択すると共に、これら電子メールアドレスの各々に対応する携帯端末の機種に適合する前記調整済み画像データを選択し、さらに、選択された前記調整済み画像データを含み且つ選択された前記電子メールアドレスの各々を宛先とした複数の電子メールを生成して送信する機能と
をコンピュータに実行させることを特徴とするものである。
【００３９】
本発明の第３の観点による画像配信プログラムは、上述したように、本発明の第１の観点による画像配信方法と同じ機能を含んでいるので、本発明の第１の観点による画像配信方法と同じ効果が得られることが明らかである。
【００４０】
本発明の第３の観点による画像配信プログラムの好ましい例では、前記ウェブサイトにおける携帯端末の電子メールアドレスと送信元識別情報の登録時に使用される前記機種判別情報が、前記携帯端末のブラウザのユーザーエージェント（User Agent）とされる。この例では、携帯端末の機種判別が容易に実現できる利点がある。
【００４１】
しかし、顧客の携帯端末の機種判別に使用できる情報であれば、ユーザーエージェント以外の機種判別情報も使用可能である。
【００４２】
本発明の第３の観点による画像配信プログラムの他の好ましい例では、前記画像受信手段が、前記契約送信元から送信されて来たデジタル画像データを受信する機能をさらに有しており、複数の前記調整済み画像データが、こうして受信したデジタル画像データを用いて生成される。この例では、場合に応じて、ファクシミリ装置による画像とデジタル画像データのいずれか便利な方を利用することができる利点がある。
【００４３】
本発明の第３の観点による画像配信プログラムのさらに他の好ましい例では、前記携帯端末が前記画像の受信または表示ができない機種であるか否かを判断し、前記画像の受信または表示ができない機種である場合には、前記電子メールには前記調整済み画像データが添付されず、その代わりに、前記画像を閲覧できるウェブサイトのＵＲＬが記述される。この例では、携帯端末が前記画像の受信または表示ができない機種であっても、前記画像の表示が可能となる利点がある。
【００４４】
（４）  本発明の第１の観点による画像配信方法と本発明の第２の観点による画像配信システムと本発明の第３の観点による画像配信プログラムで使用される下記の用語は、下記の意味を有する。
【００４５】
「契約送信元」とは、所望の携帯端末に対して所望の画像の配信を依頼する地点・場所であって、その所有者や使用者が画像配信サービス事業者と契約を締結しているものを意味する。例えば、画像配信サービス事業者と契約を締結した企業、非営利団体等の組織、あるいは個人が使用する店舗、事務所、住宅等である。例えば契約店舗、契約事務所、契約住宅である。
【００４６】
「顧客」とは、契約送信元の顧客（すでに顧客になっている人）だけでなく、未だ顧客になっていないが顧客になる可能性がある人、すなわち潜在的な顧客（見込み客）も含む。
【００４７】
「送信元識別情報」とは、契約送信元である店舗、事務所等の場所の識別に使用される情報を意味する。例えば店舗ＩＤである。
【００４８】
「機種判別情報」とは、携帯端末の機種を判別するための情報を意味する。携帯端末のブラウザのユーザーエージェント（User Agent）が好適に使用できるが、これに限定されるものではなく、ウェブサイトにアクセスした携帯端末の機種を判別できるものであれば、任意の情報が使用可能である。
【００４９】
「画像」とは、典型的には、ファクシミリ装置を介して送信されるアナログのＤＭ画像や礼状、挨拶状、誕生祝い等の画像であるが、これに限定されない。デジタル画像（デジタルデータとなった画像）も含む。
【００５０】
「携帯端末」とは、ウェブサイトへのアクセスと画像の表示と電子メールの送信及び受信が可能な携帯端末であれば足り、その形態や構造を問わない。典型的には、無線で通話や通信が可能な携帯電話機であるが、ウェブサイトへのアクセスと画像の表示と電子メールの送信及び受信が可能であれば、ＰＤＡ（Personal Digital Assistant）、ＰＨＳ（Personal Handy phone System）等でもよい。携帯通信端末ということもできる。
【００５１】
「第１記憶手段」、「第２記憶手段」、「第３記憶手段」は、所望の情報を記憶できるものであれば、任意の公知の情報記憶装置が使用可能である。ＲＡＭ（Random-Access Memory）、ハードディスク等の情報記憶用ハードウェアだけでなく、ソフトウェアによっても実現できる。データベースに使用されるテーブルの形態とするのが好適であるが、これに限定されるわけではない。また、「第１記憶手段」と「第２記憶手段」と「第３記憶手段」は、それぞれ別個に形成してもよいし、いずれか二つあるいは三つの記憶手段を一体的に形成してもよい。
【００５２】
「ウェブサイト生成手段」は、インターネット上に前記ウェブサイトを生成できるものであればよく、任意の手段が使用可能である。公知の任意のハードウェアやソフトウェアが使用できる。
【００５３】
「機種判別情報取得手段」は、前記ウェブサイトにおける携帯端末の電子メールアドレスと送信元識別情報の登録時に、その携帯端末の機種判別情報を取得できるものであればよく、任意の手段が使用可能である。例えば、ＰＨＰ、Ｐｅｒｌ、Ｊａｖａ（登録商標）等のプログラミング言語を用いて作成したソフトウェアが使用可能である。
【００５４】
「機種判別手段」は、取得した前記機種判別情報を用いて前記登録に係る前記携帯端末の機種を判別できるものであればよく、任意の手段が使用可能である。例えば、取得した携帯端末の機種判別情報をデータベースで検索して合致するものを見出す機能を持つ公知のデータベース・ソフトウェアが使用可能である。
【００５５】
「受信手段」は、ファクシミリ装置により送信されて来た画像を受信（及び送信）するものであればよく、任意の手段が使用可能である。公知の通信ソフトウェア（ファックスソフト）が好適に使用できる。
【００５６】
「調整済み画像データ生成手段」は、画像前記画像受信手段で受信した前記画像を圧縮したり、データ型やファイル型を変換したりして、所定の複数機種の携帯端末でそれぞれ正常に表示されるように調整した複数の調整済みを生成できるものであればよく、任意の手段が使用可能である。例えば、公知の画像圧縮用ソフトウェアやファイル変換用ソフトウェアが使用可能である。携帯端末の機種に応じて、これらのソフトウェアを適宜組み合わせて機能させるようにプログラミングすれば、調整済み画像データの生成を自動化できる。
【００５７】
「電子メール配信手段」は、指定された配信条件にしたがって、電子メールアドレスの選択、画像データの選択、画像データを含む電子メールの生成と送信ができるものであればよく、任意の手段が使用可能である。例えば、電子メールアドレスの選択と画像データの選択は、電子メールアドレスの選択と画像データを保存したデータベースを検索して合致するものを見出すデータベース・ソフトウェアで実現できるし、画像データを含む電子メールの生成と送信は、公知の電子メール送信・受信用ソフトウェアで実現できる。両者を組み合わせて機能させるようにプログラミングすれば、これらの機能は自動化できる。
【発明の効果】
【００５８】
本発明の第１の観点による画像配信方法と本発明の第２の観点による画像配信システムと本発明の第３の観点による画像配信プログラムでは、（ａ）契約送信元の担当者は、コンピュータの操作を一切することなく、表現力の豊富な手書きのＤＭや礼状、挨拶状、誕生祝い等の画像をファクシミリ装置で所定の宛先に送信するだけで、その画像を当該契約送信元の顧客の携帯端末に一斉配信することができると共に、その画像をそれら顧客の携帯端末の機種の相違に無関係に正常に表示させることができる、（ｂ）契約送信元の顧客は、所定のウェブサイトにアクセスして自己の携帯端末の電子メールアドレスと送信元識別情報を登録するだけで足り、自己の個人情報や携帯端末の機種の登録等の面倒な作業が不要である、（ｃ）契約送信元は、顧客の個人情報の漏洩といった問題を生じることなく顧客の携帯端末の電子メールアドレスの登録数を増やすことができる、という効果が得られる。
【図面の簡単な説明】
【００５９】
【図１】本発明の一実施形態に係るＤＭ画像配信システムの構成を示す概念図である。
【図２】図１のＤＭ画像配信システムの顧客Ｅメールアドレス登録部の構成を示す機能ブロック図である。
【図３】図１のＤＭ画像配信システムのＤＭ画像付きＥメール配信管理部の構成を示す機能ブロック図である
【図４】図１のＤＭ画像配信システムで使用されるデータベースの各種テーブルの構成を示す説明図である。
【図５】図１のＤＭ画像配信システムで使用される店舗マスターテーブルの構成を示す説明図である。
【図６】（Ａ）は図１のＤＭ画像配信システムで使用される顧客マスターテーブルの構成を示す説明図、（Ｂ）は携帯電話機機種マスターテーブルの構成を示す説明図である。
【図７】（Ａ）は図１のＤＭ画像配信システムで使用される仮登録テーブルの構成を示す説明図、（Ｂ）は配信マスターテーブルの構成を示す説明図である。
【図８】（Ａ）は図１のＤＭ画像配信システムで使用される配信結果ログサマリーテーブルの構成を示す説明図、（Ｂ）は配信結果ログ個別テーブルの構成を示す説明図である。
【図９】（Ａ）は図１のＤＭ画像配信システムで使用される配信画像テーブルの構成を示す説明図、（Ｂ）は配信画像カテゴリーマスターテーブルの構成を示す説明図である。
【図１０】図１のＤＭ画像配信システムにおける顧客の仮登録動作を示すフローチャートである。
【図１１】図１のＤＭ画像配信システムにおける顧客の本登録動作を示すフローチャートである。
【図１２】図１のＤＭ画像配信システムにおける顧客の本登録動作を示すフローチャートで、図１１の続きである。
【図１３】図１のＤＭ画像配信システムにおけるファクシミリ装置で送信されてきたＤＭ画像の画像変換動作を示すフローチャートである。
【図１４】図１のＤＭ画像配信システムにおけるＤＭ画像付きＥメールの配信動作を示すフローチャートである。
【図１５】（ａ）は図１のＤＭ画像配信システムで使用される仮登録用ＱＲコードの例、（ｂ）は同システムで生成される空Ｅメールの例、（ｃ）は同システムで生成される仮登録完了Ｅメールの例を示す説明図である。
【図１６】図１のＤＭ画像配信システムで使用される本登録用入力画面の例を示す説明図である。
【図１７】（ａ）は図１のＤＭ画像配信システムで生成される本登録完了Ｅメールの一例を示す説明図、（ｂ）は同システムで生成される本登録完了Ｅメールの他の例を示す説明図である。
【図１８】図１のＤＭ画像配信システムで生成されるＤＭ画像付きＥメールの例を示す説明図である。
【図１９】従来のメールマガジンによるＤＭの例を示す説明図である。
【図２０】図１のＤＭ画像配信システムのために契約店舗に設置される登録案内板（ＱＲスタンド）の例を示す説明図である。
【図２１】オリジナル画像と携帯電話機に配信される画像との関係を示す説明図である。
【図２２】ある契約店舗から送信されてきた画像をその顧客に配信する場合に、各顧客に配信される画像の違いを示す説明図である。
【発明を実施するための最良の形態】
【００６０】
以下、本発明の好適な実施の形態について、添付図面を参照して詳細に説明する。
（画像配信方法システムの構成）
図１は、本発明の一実施形態に係るＤＭ画像配信システム１の概略構成を示す概念図である。ＤＭ画像配信システム１は、契約店舗のＤＭ画像を顧客の持つ携帯電話機に配信するシステムであり、本発明の画像配信システムをＤＭ画像の配信に適用したものに相当する。
【００６１】
本実施形態では、携帯端末として、ウェブサイトへのアクセスと画像の表示と電子メールの送信及び受信が可能な携帯電話機を用いている。しかし、本発明は携帯電話機に限定されるものではなく、ウェブサイトへのアクセスと画像の表示と電子メールの送信及び受信が可能であれば、それ以外の携帯端末（携帯通信端末）も使用可能である。
【００６２】
ＤＭ画像配信システム１によれば、本発明の画像配信方法の一実施形態を実施することができる。また、ＤＭ画像配信システム１の機能は、主として、ＤＭ画像配信システム１に組み込まれた本発明の画像配信プログラムを用いて実現されており、その画像配信プログラムは、以下に述べるような複数の機能要素（サブプログラム）から構成される。
【００６３】
なお、ＤＭ画像配信システム１では、ＤＭ画像を配信するシステムとしているが、ＤＭ画像に代えて、任意の画像を配信することも可能であることは言うまでもない。例えば、来店に対するお礼を書いた礼状の画像、顧客の誕生月や誕生日のお祝いを書いた誕生祝いの画像、顧客への挨拶を書いた挨拶状の画像等を配信することもできる。
【００６４】
図1に示すように、ＤＭ画像配信システム１は、顧客Ｅメールアドレス登録部１０、ＤＭ画像受信部２０、ＤＭ画像データ記憶部３０、ＤＭ画像変換部４０、携帯電話機情報管理部５０、顧客管理部６０、店舗管理部７０、ＤＭ画像付きＥメール配信管理部８０、そしてデータベース９０を備えている。ＤＭ画像配信システム１は、ＣＰＵ（Central Processing Unit）、データ記憶装置等のハードウェアと、各機能を提供するソフトウェアとから構成されており、手書きＤＭ配信サービス事業者によって所定のデータセンター（図示せず）内に設置されている。
【００６５】
ＤＭ画像配信システム１によれば、ファクシミリ装置で送信された手書きのＤＭ画像を不特定多数の携帯電話機に一斉配信する「手書きＤＭ配信サービス」を提供することができる。「手書きＤＭ」は、文字だけで記述されたメールマガジンに比べて表現力に優れているだけでなく、作成するのにコンピュータの知識が不要なため、誰でも手軽に、店舗の広告効果を格段に高めることができる。
【００６６】
自己の顧客に手書きＤＭを配信することを希望する店舗は、手書きＤＭ配信サービス事業者と契約を締結することにより、手書きＤＭ配信サービスを受けることができる。ＤＭ画像配信システム１は、当該事業者が設置して運営するのが一般的であるが、この方式に限定されるわけではない。他の事業者が設置したＤＭ画像配信システム１を手書きＤＭ配信サービス事業者が使用するようにしてもよい。
【００６７】
以下の説明では、手書きＤＭ配信サービス事業者と契約を締結した店舗を「契約店舗」と呼び、また、「契約店舗」内に設置されたファクシミリ装置を「店舗内ファクシミリ装置」と呼ぶ。
【００６８】
「顧客」とは、「契約店舗」の顧客の意味であり、「顧客」が所有する携帯電話機を「顧客携帯電話機」と呼ぶ。したがって、「顧客」は、「契約店舗」毎に決まり、同じ人が複数の「契約店舗」で「顧客」になることもある。
【００６９】
なお、例えば、フランチャイズとして同名の店舗が多数ある場合は、店舗毎に顧客を指定してもよいし、フランチャイズ全体の顧客として指定してもよい。この点は、必要に応じて任意に決めてよい。
【００７０】
契約店舗毎に顧客携帯電話機１００のＥメールアドレスがＤＭ画像配信システム１に予め登録されるため、ＤＭ画像配信システム１と顧客携帯電話機１００との間では、インターネット３００を介してＥメールの送信及び受信が可能である。また、店舗内ファクシミリ装置２００を用いることにより、公衆電話回線網４００を介して、例えば手書きのＤＭ画像を契約店舗から画像配信システム１に送信することが可能である。したがって、店舗内ファクシミリ装置２００を用いて契約店舗から手書きＤＭ画像を送信すると、契約店舗が希望する日時に、その手書きＤＭ画像を用いたＤＭ画像付きＥメールを多数の顧客携帯電話機１００に一斉に配信することができる。
【００７１】
図１では、顧客携帯電話機１００が２台、店舗内ファクシミリ装置２００が１台だけ描かれているが、これは図示と説明を容易にするためである。実際には、顧客携帯電話機１００は登録された数、例えば数百台から数千台（あるいはそれ以上）あり、また、店舗内ファクシミリ装置２００も、契約された数、例えば数十台から数百台（あるいはそれ以上）ある。
【００７２】
次に、図１に示したＤＭ画像配信システム１の各構成要素について説明する。
【００７３】
顧客Ｅメールアドレス登録部１０は、インターネット３００を介して各々の顧客携帯電話機１００の電子メール（Ｅメール）アドレスを登録する。登録には、仮登録と本登録がある。詳細は図２を参照して後述する。
【００７４】
ＤＭ画像受信部２０は、公衆電話回線網４００を介して店舗内ファクシミリ装置２００から送信されてくるＤＭ画像を受信し、これを電子化して、例えばＪＰＥＧ形式の画像ファイルを生成する。受信時には、ＤＭ画像を受信した旨の通知を、送信してきた店舗内ファクシミリ装置２００あてに自動送信する。なお、契約店舗からのファクシミリ送信であるか否かは、送信に使用されたファクシミリ番号を予め登録してある契約店舗のファクシミリ番号と照合することにより、容易に確認することができる。
【００７５】
ＤＭ画像データ記憶部３０は、ＤＭ画像受信部２０により生成されたＤＭ画像データ（例えばＪＰＥＧ形式の画像ファイル）を、データ記憶装置に記憶する。
【００７６】
ＤＭ画像変換部４０は、ＤＭ画像データ記憶部３０に記憶されているＤＭ画像データ（例えばＪＰＥＧ形式の画像ファイル）を読み出し、顧客携帯電話機１００の各機種で正常に表示できるように画像変換（例えば圧縮）して複数種類のＤＭ画像データ（例えばＪＰＥＧ形式の画像ファイル）（これは調整済みＤＭ画像データに対応する）を生成する。そして、生成した調整済みＤＭ画像データ（例えばＪＰＥＧ形式の画像ファイル）をデータベース９０に格納する。データベース９０に調整済みＤＭ画像データを直接格納せずに、調整済みＤＭ画像データをデータベース９０の関連するテーブルとリンクさせるようにしてもよい。
【００７７】
携帯電話機情報管理部５０は、顧客携帯電話機１００の現存している機種の情報（例えば、キャリア名、機種名、ＩＰアドレスの帯域、配信して表示できる画像のカテゴリー・ファイルタイプ・サイズ・重さ、デバイスＩＤ等を携帯電話機機種マスターテーブルに記録して管理する。
【００７８】
顧客管理部６０は、顧客のＥメールアドレス、顧客が所有する携帯電話機の機種とキャリア名、ユーザーエージェント値、名前、誕生月、性別等を顧客マスターテーブルに記録して管理する。
【００７９】
店舗管理部７０は、契約店舗のＩＤと店舗名、住所、代表者、連絡先、パスワード、登録完了通知の有無、当たり付きクーポンの有無、当たり確率、サービス開始日等を店舗マスターテーブルに記録して管理する。
【００８０】
ＤＭ画像付きＥメール配信管理部８０は、ＤＭ画像付きＥメールを生成して所望の顧客携帯電話機１００あてに配信する。また、配信の依頼元の店舗ＩＤ、ＤＭ画像付きＥメールの配信日時等を配信マスターテーブルに記録して管理する。さらに、配信結果ログを、配信結果ログサマリーテーブルと配信結果ログ個別テーブルに記録して管理する。詳細は図３を参照して後述する。
【００８１】
データベース９０は、使用しているすべてのテーブル（詳細は後述する）を格納する。
【００８２】
（顧客Ｅメールアドレス登録部の構成）
次に、図２を参照しながら、顧客Ｅメールアドレス登録部１０の詳細構成について説明する。
【００８３】
図２に示すように、顧客Ｅメールアドレス登録部１０は、仮登録部１１、ウェブサイト生成部１２ａ、本登録部１２ｂ、機種判別情報取得部１３、そして機種登録部１４を備えている。
【００８４】
仮登録部１１は、仮登録を申し込むために顧客携帯電話機１００から送信される空Ｅメールの受信を待機しており、空Ｅメールを受信すると、データベース９０の仮登録テーブルに送信元の顧客携帯電話機１００のＥメールアドレス（顧客Ｅメールアドレス）を仮登録ＩＤと関連づけて記録する。こうして仮登録が完了すると、所定のＵＲＬを記述した仮登録完了Ｅメールを、仮登録した顧客Ｅメールアドレスあてに送信する。仮登録完了Ｅメールに記述されているＵＲＬは、本登録を行うウェブサイト（Ｅメールアドレス登録用ウェブサイト１５）を指定しているので、顧客は受信したＥメール中の当該ＵＲＬへのリンク部分をクリックしてそのＵＲＬにアクセスすれば、容易にＥメールアドレス登録用ウェブサイト１５に到達することができる。（仮登録部１１の動作は、図１０を参照して後述する。）
ウェブサイト生成部１２ａは、Ｅメールアドレス登録（本登録）用ウェブサイト１５をインターネット３００に生成する。仮登録が完了した顧客は、自分の携帯電話機１００を用いてウェブサイト１５にアクセスし、所定のデータを入力すると、本登録が完了する。
【００８５】
本登録部１２ｂは、ウェブサイト１５において入力された所定のデータ（Ｅメールアドレスとユーザーエージェント値を除く顧客データ）を、データベース９０の顧客マスターテーブルに記録する。Ｅメールアドレスは、本登録の際に、仮登録テーブルに記録されているものが顧客マスターテーブルに転記される。
【００８６】
機種判別情報取得部１３は、ウェブサイト１５にアクセスしている携帯電話機１００の機種判別情報を取得する。機種判別情報としては、ここでは、携帯電話機１００の持つユーザーエージェント（USER AGENT）の値を使用しているので、携帯電話機１００のユーザーエージェント値を取得して顧客マスターテーブルに記録する。
【００８７】
機種登録部１４は、機種判別情報取得部１３で取得した機種判別情報（すなわちユーザーエージェント値）を、データベース９０に予め登録してあるユーザーエージェント値と照合して、携帯電話機１００の機種を判別し、データベース９０の顧客マスターテーブルに記録する。この時、一緒に取得できるＩＰアドレスを、各キャリアに固有のＩＰアドレス帯域と比較することにより、顧客携帯電話機１００のキャリアも判明するので、顧客マスターテーブルに一緒に記録する。（詳細は後述する。）
（ＤＭ画像付きＥメール配信管理部の構成）
次に、図３を参照しながら、ＤＭ画像付きＥメール配信管理部８０の詳細構成について説明する。
【００８８】
図３に示すように、ＤＭ画像付きＥメール配信管理部８０は、顧客Ｅメールアドレス選択部８１、ＤＭ画像データ選択部８２、ＤＭ画像付きＥメール生成部８３、ＤＭ画像付きＥメール送信部８４、ＤＭ画像付きＥメール配信ログ生成部８５を備えている。
【００８９】
顧客Ｅメールアドレス選択部８１は、店舗内ファクシミリ装置２００から送信されてくるＤＭ画像が記載された紙面に記載されている希望配信条件（配信日時、顧客の性別等）に従って、または、別個にＥメール等で連絡され、あるいは予め指定している希望配信条件に従って、顧客マスターテーブルから当該ＤＭ画像を配信すべき顧客Ｅメールアドレスを選択する。ＤＭ画像が記載された紙面上の希望配信条件は、図示しないＯＣＲ（Optical Character Reader）で読み取る。この場合、手書きＤＭ配信サービス事業者の担当者が、読み取った配信条件が正確であるかどうかを確認するのが好ましい。
【００９０】
ＤＭ画像データ選択部８２は、顧客Ｅメールアドレス選択部８１により選択された顧客Ｅメールアドレスに対応する携帯電話機１００の各々について、その機種に整合する（最適な）ＤＭ画像データ（調整済みＤＭ画像データ）をデータベース９０の配信画像テーブルから選択する。
【００９１】
ＤＭ画像付きＥメール生成部８３は、顧客Ｅメールアドレス選択部８１により選択された顧客Ｅメールアドレスの各々を宛先とするＥメールを生成し、ＤＭ画像データ選択部８２により選択された調整済みＤＭ画像データを添付ファイルとして添付する。調整済みＤＭ画像データは、Ｅメールに添付ファイルとして添付するのではなく、Ｅメールの中に直接貼り込むようにしてもよい。
【００９２】
ＤＭ画像付きＥメール送信部８４は、希望配信条件に従って、ＤＭ画像付きＥメール生成部８３により生成されたＤＭ画像を含むＥメール（ＤＭ画像付きＥメール）を、顧客Ｅメールアドレス選択部８１により選択された顧客Ｅメールアドレスに向けて一斉にあるいは順次送信する。
【００９３】
ＤＭ画像付きＥメール配信ログ生成部８５は、ＤＭ画像付きＥメール送信部８４によるＤＭ画像付きＥメールの配信が完了すると、ＤＭ画像付きＥメールの配信ログを生成し、配信結果ログサマリーテーブルと配信結果ログ個別テーブルに記録する。
【００９４】
（データベースの構成）
次に、データベース９０の構成について説明する。
【００９５】
データベース９０は、図５〜図９に示した１０個のテーブルを包含していると共に、それらテーブルが図４に示した関係を有しているリレーショナル・データベースである。
【００９６】
具体的に言えば、
契約店舗に関連するデータを記録する店舗マスターテーブル、
契約店舗の顧客に関連するデータを記録する顧客マスターテーブル、
配信画像のカテゴリーを記録する配信画像カテゴリーマスターテーブル、
携帯電話機の機種を記録する携帯電話機機種マスターテーブル、
携帯電話機のキャリアとＩＰ帯域を記録するキャリアマスターテーブル、
契約店舗の顧客の仮登録に使用される仮登録テーブル、
配信画像を記録する配信画像テーブル、
配信条件を記録する配信マスターテーブル、
配信結果ログのサマリーを記録する配信結果ログサマリーテーブル、
配信結果ログを個別に記録する配信結果ログ個別テーブル、
である。
【００９７】
店舗マスターテーブルの構成（フィールドとそのレイアウト）は、図５に示すように、店舗ＩＤと店舗名に加えて、店舗の住所と代表者、連絡先、さらにパスワード、サービス開始日等のフィールドを有している。登録完了通知有無フィールドは、本登録完了Ｅメールの送信が済んでいるか否かを記録する。当り付きクーポン有無フィールドは、手書きＤＭに当り付きクーポンを付けるか否かを記録する。当り確率フィールドは、手書きＤＭに当り付きクーポンを付けた場合に設定する当たり確率を記録する。当り回数（結果）フィールドは、手書きＤＭに当り付きクーポンを付けた場合の当たり回数（結果）を記録する。
【００９８】
店舗ＩＤは、例えば、６８−０１０４、８２−４３０３のように、数字２桁＋数字４桁の形式で設定することができる。しかし、本発明はこれに限定されない。
【００９９】
顧客マスターテーブルの構成（フィールドとそのレイアウト）は、図６（Ａ）に示すように、店舗ＩＤと顧客Ｅメールアドレス（例えばxxx@yyyyy.jp）（これら両方によってユニークとなる）に加えて、名前、誕生月、性別といった顧客の特性、さらには、登録日、顧客の持つ携帯電話機機種と携帯電話機キャリアとユーザーエージェント値といったフィールドを有している。したがって、顧客マスターテーブルには、顧客自身に関連するデータと、その顧客が所有する携帯電話機に関連するデータとが記録される。
【０１００】
携帯電話機機種マスターテーブルの構成（フィールドとそのレイアウト）は、図６（Ｂ）に示すように、携帯電話機の機種とキャリア（例えば、ＮＴＴｄｏｃｏｍｏ、ＫＤＤＩ（ａｕ）、ＳｏｆｔＢａｎｋ）、登録日（発売日）に加えて、配信画像カテゴリー（例えば、カテゴリー１〜９に区分される）、配信画像サイズ（○○○ピクセル×△△△）、配信画像重さ（ｚｚｚKB）等のフィールドを有している。したがって、携帯電話機の機種の各々に最適な配信画像カテゴリーと配信画像サイズと配信画像重さが記録される。
【０１０１】
仮登録テーブルの構成（フィールドとそのレイアウト）は、図７（Ａ）に示すように、仮登録ＩＤ（例えば、091010-0001）及び顧客Ｅメールアドレス、その顧客Ｅメールアドレスが仮登録された年月日、そして登録完了フラグのフィールドを有しており、これらのデータが記録される。登録完了フラグは、仮登録ＩＤまたは顧客Ｅメールアドレスに対して仮登録が完了しているかどうかを示す。
【０１０２】
配信マスターテーブルの構成（フィールドとそのレイアウト）は、図７（Ｂ）に示すように、各配信動作に付されるジョブ番号（例えば、091020-0001、091021-0012）とその配信日時と配信種別、ＤＭ付きＥメールを配信する店舗に対応する店舗ＩＤ、さらに配信完了のフィールドを有しており、これらのデータが記録される。配信種別とは、店舗の顧客Ｅメールアドレスの全体に配信する（全体）か、顧客を男と女に別けていずれかに配信する（男女別）か、顧客の誕生月を指定して配信するか（誕生月別）、の三つの種類がある。
【０１０３】
配信結果ログサマリーテーブルの構成（フィールドとそのレイアウト）は、図８（Ａ）に示すように、各配信動作に付されるジョブ番号とその配信日時と配信種別、総配信件数、総エラー件数のフィールドを有しており、これらのデータが記録される。総配信件数とは、店舗の顧客Ｅメールアドレスへの配信を今までに何件実施したかを示す。配信結果ログサマリーテーブルにより、各配信動作に付されるジョブ番号毎に配信内容が記録される。
【０１０４】
配信結果ログ個別テーブルの構成（フィールドとそのレイアウト）は、図８（Ｂ）に示すように、各配信動作に付されるジョブ番号、ＤＭ付きＥメールを配信した顧客Ｅメールアドレス、ＤＭ付きＥメールに添付されたＤＭ画像ファイルに付される添付ファイル番号とその配信画像カテゴリー、配信エラーの有無を示すエラー有無のフィールドを有していて、これらのデータが記録される。配信結果ログ個別テーブルにより、各配信動作に付されるジョブ番号毎に配信結果が記録される。
【０１０５】
ＤＭ画像ファイルに付される添付ファイル番号は、例えば、68-0104-091020-1-1、82-4303-091019-1-2のように、店舗ＩＤ（68-0104）＋配信日付（091020）＋シーケンス番号（1）＋画像カテゴリー（1）で規定される。
【０１０６】
配信画像テーブルの構成（フィールドとそのレイアウト）は、図９（Ａ）に示すように、各ＤＭ画像に付される画像番号、各配信動作に付されるジョブ番号、配信を依頼した店舗の店舗ＩＤ、配信完了、登録完了配信画像、配信画像カテゴリーのフィールドを有していて、これらのデータが記録される。配信画像テーブルにより、各ジョブ番号に対応する配信動作においてどの配信画像カテゴリーに属するどのＤＭ画像が添付されるべきかが指定される。登録完了配信画像フィールドの値が「はい」の場合、本登録完了メールで利用すべき画像が指定される。登録完了配信画像フィールドの値が「いいえ」の場合、一般の配信（ＤＭ付きＥメールの配信）で利用すべきＤＭ画像が指定される。
【０１０７】
各配信動作に付されるジョブ番号は、例えば、091020-0001、091019-0012のように、配信日付＋シーケンス番号で規定される。
【０１０８】
配信画像カテゴリーマスターテーブルの構成（フィールドとそのレイアウト）は、図９（Ｂ）に示すように、配信画像カテゴリーと配信画像サイズと配信画像重さのフィールドを有していて、これらのデータが記録される。配信画像カテゴリーマスターテーブルにより、配信画像カテゴリー（例えば、カテゴリー１〜９に区分される）と、その配信画像カテゴリーに属する画像ファイルのサイズ（○○○ピクセル×△△△ピクセル）及び重さ（ｚｚｚKB）が指定される。
【０１０９】
テーブル間の関係は図４に示す通りである。店舗マスターテーブルと顧客マスターテーブルは、店舗ＩＤフィールドで１：ｎ（ｎは正の整数）の関係で連結されている。また、店舗マスターテーブルと配信画像テーブルは、店舗ＩＤフィールドで１：ｎの関係で連結されている。店舗マスターテーブルと配信マスターテーブルは、店舗ＩＤフィールドで１：ｎの関係で連結されている。
【０１１０】
携帯電話機機種マスターテーブルと顧客マスターテーブルは、携帯電話機機種フィールドで１：ｎの関係で連結されている。
【０１１１】
顧客マスターテーブルと仮登録テーブルは、顧客Ｅメールアドレスフィールドで１：ｎの関係で連結されている。また、顧客マスターテーブルと配信結果ログ個別テーブルは、顧客Ｅメールアドレスフィールドで１：ｎの関係で連結されている。
【０１１２】
配信画像カテゴリーマスターテーブルと配信画像テーブルは、配信画像カテゴリーフィールドで１：ｎの関係で連結されている。また、配信画像カテゴリーテーブルと携帯電話機機種マスターテーブルは、配信画像カテゴリーフィールドで１：ｎの関係で連結されている。
【０１１３】
配信画像テーブルと配信マスターテーブルは、ジョブ番号フィールドでｎ：１の関係で連結されている。
【０１１４】
配信マスターテーブルと配信結果ログサマリーテーブルは、ジョブ番号フィールドで１：１の関係で連結されている。
【０１１５】
配信結果ログサマリーテーブルと配信結果ログ個別テーブルは、ジョブ番号フィールドで１：ｎの関係で連結されている。
【０１１６】
（顧客Ｅメールアドレス登録部の動作）
次に、以上の構成を持つ顧客Ｅメールアドレス登録部１０の動作について説明する。
【０１１７】
図１０は、顧客Ｅメールアドレス登録部１０の仮登録部１１の動作を示すフローチャートである。
【０１１８】
仮登録部１１では、まず、契約店舗のある顧客の携帯電話機１００から送信されてくる空Ｅメールを受信する（ステップＳ１）。この空Ｅメールは、次のようにして生成・送信される。
【０１１９】
契約店舗には、顧客に対して自己のＥメールアドレスの登録を促すために、図２０に示すような登録案内板（ＱＲスタンド）が設置されている。この登録案内板には、店舗ＩＤとＱＲコード（図１５（ａ）を参照）とＥメールアドレスが表示されており、顧客は、携帯電話機１００に内蔵されているデジタルカメラでＱＲコードを撮影するだけで、図１５（ｂ）に示すような空Ｅメールが自動的に生成されるようになっている。非常に便利であるから、顧客のＥメールアドレスの登録を促進することができる。ＱＲコードを使用しない場合は、顧客が自己の携帯電話機１００で新規のＥメールを生成し、その宛先欄に登録案内板に表示されているＥメールアドレス（reg@temoba.com）を直接入力すればよい。こうして生成されたＥメールは、メッセージを入れることなくそのまま送信される。
【０１２０】
次に、受信したその空Ｅメールから送信元（携帯電話機１００）のＥメールアドレスを解析する（ステップＳ２）。その後、後述する方法で携帯電話機から送信されたものかどうかを判断し（ステップＳ３）、携帯電話機から送信されたものでない場合は、なんら動作を行わずそのまま終了する。他方、携帯電話機から送信されたものである場合は、送信元（携帯電話機１００）のＥメールアドレスを、仮登録ＩＤと共にデータベース９０の仮登録テーブルに記録する（ステップＳ４）。そして、図１５（ｃ）に示すような仮登録完了Ｅメールを生成し（ステップＳ５）、送信する（ステップＳ６）。
【０１２１】
仮登録完了Ｅメールを受信することにより、空Ｅメール送信した顧客は、仮登録が完了したことを知ることができる。
【０１２２】
仮登録完了Ｅメールには、図１５（ｃ）に示すように、インターネット３００に開設されたＥメールアドレス登録（本登録）用ウェブサイト１５のＵＲＬ（Uniform Resource Locator）が記述されているので、空Ｅメール送信した顧客は、そのＵＲＬをクリックするだけで、ウェブサイト１５に容易にアクセスすることができる。
【０１２３】
図１１と図１２は、顧客Ｅメールアドレス登録部１０のウェブサイト生成部１２ａと本登録部１２ｂの動作を示すフローチャートである。
【０１２４】
まず、ウェブサイト１５に所定の登録画面を表示して入力を待機する（ステップＳ１１）。登録画面の一例を図１６に示す。この登録画面では、登録されるＥメールアドレス（xxxx@docomo.ne.jp）の表示の下方に「店舗ＩＤを入力し、性別と誕生月を選択して確認ボタンを押してください。」との表記がされている。このため、アクセスした顧客は、この表記にしたがい、ショップニュースの配信を希望する店舗の店舗ＩＤを入力すると共に、自己の性別と誕生月を選択してから、確認ボタンをクリックすればよい。
【０１２５】
仮登録完了Ｅメールを受信した顧客がウェブサイト１５にアクセスし、所定の情報（例えば店舗ＩＤ、誕生月、性別等）の入力を検知すると、アクセス元の携帯電話機１００のユーザーエージェント値（ＨＴＴＰ＿ＵＳＥＲ＿ＡＧＥＮＴ）を取得する（ステップＳ１２）。これは、ウェブサイト１５へアクセスする際に使用されるＨＴＴＰ  Ｒｅｑｕｅｓｔのヘッダ情報のＨＴＴＰ＿ＵＳＥＲ＿ＡＧＥＮＴの値であるため、それを取り込むようにプログラミングすることにより、取得することができる。
【０１２６】
具体的に言えば、次のようにして取得する。
【０１２７】
プログラミング言語としてＰＨＰを利用する場合、
$agent = $_SERVER['HTTP_USER_AGENT']
のように記述する。こうすると、変数$agentにUSER-AGENTの値が取り込まれるので、アクセス元の携帯電話機１００のユーザーエージェント値を容易に取得することができる。USER-AGENTの値はキャリア毎にまた機種毎に異なるので、取り込まれたユーザーエージェント値の特定の部分を、データベース９０の携帯電話機機種マスターテーブルと比較すれば、携帯電話機１００の機種が判定できる。
【０１２８】
例えば、DoCoMo/2.0 N06A3(c500;TB;W24H16) というユーザーエージェント値が得られた場合（つまり、HTTP_USER_AGENT=DoCoMo/2.0 N06A3(c500;TB;W24H16) である場合）、「N06A」という文字列が含まれていることから、アクセス元の携帯電話機１００はＮＴＴドコモの「N-06A」という機種であることが分かる。
【０１２９】
KDDI-SA31 UP.Browser/6.2.0.7.3.129 (GUI) MMP/2.0 というユーザーエージェント値が得られた場合（つまり、HTTP_USER_AGENT=KDDI-SA31 UP.Browser/6.2.0.7.3.129 (GUI) MMP/2.0 である場合）、「SA31」という文字列（デバイスＩＤ）が含まれていることから、アクセス元の携帯電話機１００はＫＤＤＩ（ａｕ）の「W21SA」という機種であることが分かる。
【０１３０】
Vodafone/1.0/V702NK2/NKJ001[/Serial]Series60/2.6 Nokia6680/4.04.28 Profile/MIDP-2.0 Configuration/CLDC-1.1いうユーザーエージェント値が得られた場合（つまり、HTTP_USER_AGENT=Vodafone/1.0/V702NK2/NKJ001[/Serial]Series60/2.6 Nokia6680/4.04.28 Profile/MIDP-2.0 Configuration/CLDC-1.1である場合）、「V702NK2」という文字列が含まれていることから、アクセス元の携帯電話機１００はＳｏｆｔＢａｎｋの「Ｎｏｋｉａ６６８０」という機種であることが分かる。
【０１３１】
ＰＨＰ以外に、ＰｅｒｌやＪａｖａ等の他の任意のプログラミング言語を使用してもよい。
【０１３２】
Ｐｅｒｌの場合、
$agent = $_ENV｛'HTTP_USER_AGENT'｝
と記述する。
【０１３３】
Ｊａｖａの場合、
String agent = request.getHeader("user-agent")
と記述する。
【０１３４】
次に、携帯電話機からのアクセスかどうかを判断する（ステップＳ１３）。この判断は、ＨＴＴＰ  Ｒｅｑｕｅｓｔのヘッダ情報のＲＥＭＯＴＥ＿ＡＤＤＥＲの値から、キャリアが使用しているＩＰアドレスを取得することにより行う。なお、図１０のステップＳ３における携帯電話からのアクセスか否かの判断も、同じ方法で行う。
【０１３５】
ＰＨＰの場合は、
$addr = $_SERVER['REMOTE_ADDR']
と記述すればよい。こうすることにより、変数$addrにREMOTE_ADDRの値が取り込まれるので、キャリアが使用しているＩＰアドレスを容易に取得することができる。こうして取得したＩＰアドレスを各キャリアが公表しているIP帯域と比較し、取得したＩＰアドレスが属するＩＰ帯域に対応するキャリアを介したアクセスであると判断する。各キャリアが公表しているＩＰ帯域とそれに対応するキャリアは、データベース９０のキャリアマスターテーブルに記録されているので、キャリアマスターテーブルを検索することにより、取得したＩＰアドレスに対応するキャリアを容易に知ることができる。
【０１３６】
ＰｅｒｌやＪａｖａを使用した場合も、同様の方法でキャリアを容易に知ることができる。
【０１３７】
以上のようにして、ステップＳ１３で携帯電話機からのアクセスかどうかを判断した結果、携帯電話機からのアクセスでない場合は、エラーを表示して（ステップＳ２１）終了する。他方、携帯電話機からのアクセスである場合は、テータベース９０の仮登録テーブルを検索して、入力されたが仮登録ＩＤまたはＥメールアドレスが存在するか否かを調査し（ステップＳ１４）、既に登録が完了しているか否かを判断する（ステップＳ１５）。
【０１３８】
ステップＳ１４で仮登録ＩＤまたはＥメールアドレスが仮登録テーブルに存在しないことが分かれば、仮登録が未だ完了していないことになるから、エラーを表示して（ステップＳ２１）終了する。他方、仮登録ＩＤまたはＥメールアドレスが仮登録テーブルに存在していることが分かれば、仮登録が既に完了しているから、ウェブサイト１５で入力された仮登録ＩＤ、仮登録されたＥメールアドレス、店舗ＩＤ等の情報が正しいか否かを判断する（ステップＳ１６）。正しくない場合は、エラーを表示して（ステップＳ２２）再度ステップＳ１６を実行する。
【０１３９】
入力された仮登録ＩＤ等の情報が正しいと判断されると、テータベース９０の店舗マスターテーブルを検索して（ステップＳ１７）、入力された店舗ＩＤが正しいか否かを判断する（ステップＳ１８）。入力された店舗ＩＤが正しくない場合は、エラーを表示してから（ステップＳ２２）、再度ステップＳ１６〜Ｓ１８を実行する。
【０１４０】
入力された店舗ＩＤが正しい場合は、アクセス元のユーザーエージェント値（ステップＳ１２で入手している）をキーワードとしてテータベース９０の機種マスターテーブルを検索し（ステップＳ１９）、アクセスしている携帯電話機１００が手書きＤＭ配信サービスの対象機種か否かを判断する（ステップＳ２０）。サービス対象機種でない場合は、エラーを表示してから（ステップＳ２１）終了する。他方、サービス対象機種である場合は、入力された情報をテータベース９０の顧客マスターテーブルに記録する（ステップＳ２３）。
【０１４１】
入力された情報の顧客マスターテーブルへの記録が完了すると、続いて、当たりクジのオプションがあるか否かを判断する（ステップＳ２４）。当たりクジのオプションがある場合は、データベース９０の店舗マスターテーブルに記録している当たり確率で抽選を行い（ステップＳ２５ｂ）、当たりであれば、データベース９０の配信画像テーブルから登録完了Ｅメールに使用する当たり画像を選択してから（ステップＳ２７ｂ）、本登録完了Ｅメールを生成し（ステップＳ２８）、送信する（ステップＳ２９）。当たりでなければ、データベース９０の配信画像テーブルから本登録完了Ｅメールに使用するはずれ画像を選択してから（ステップＳ２７ａ）、本登録完了Ｅメールを生成し（ステップＳ２８）、送信する（ステップＳ２９）。
【０１４２】
当たりクジのオプションがない場合は、データベース９０の配信画像テーブルから本登録完了Ｅメールに使用する画像（当たりクジオプションなし）を選択してから（ステップＳ２５ａ）、登録完了Ｅメールを生成し（ステップＳ２８）、送信する（ステップＳ２９）。
本登録完了Ｅメールの例を図１７（ａ）と（ｂ）にそれぞれ示す。
【０１４３】
（画像変換部の動作）
次に、ＤＭ画像変換部４０の動作について説明する。図１３は、ＤＭ画像変換部４０の動作を示すフローチャートである。
【０１４４】
店舗内ファクシミリ装置２００から送信されて来たＤＭ画像は、ＤＭ画像受信部２０により受信され、ＤＭ画像ファイルとしてＤＭ画像データ記録部３０に保存される。
【０１４５】
ＤＭ画像変換部４０は、ＤＭ画像データ記録部３０に保存されているＤＭ画像ファイルを読み出して、携帯電話機１００の各機種に整合する（最適な）ＤＭ画像ファイル（調整済み画像データ）を生成し、データベース９０の配信画像テーブルに格納する。これを詳細に説明すると次のようになる。
【０１４６】
まず、図１３に示すように、読み出したＤＭ画像ファイル（調整済み画像データ）に関連して入力された情報（例えば店舗ＩＤ、配信画像カテゴリー、画像番号等）を読み込み（ステップＳ３１）、それらの情報が正しいか否かを判断する（ステップＳ３２）。正しくないと判断されると、エラーを表示して（ステップＳ３６）ステップＳ３１に戻るので、改めて正しい情報を入力すればよい。正しいと判断されると、データベース９０の店舗マスターテーブルを検索し（ステップＳ３３）、店舗ＩＤが正しいか否かを判断する（ステップＳ３４）。
【０１４７】
正しくないと判断されると、エラーを表示して（ステップＳ３６）ステップＳ３１に戻るので、ステップＳ３１〜Ｓ３４を再度実行する。正しいと判断されると、作業対象のＤＭ画像ファイルが存在するか否かを判断する（ステップＳ３５）。作業対象のＤＭ画像ファイルが存在しない場合は、エラーを表示して（ステップＳ３６）ステップＳ３１に戻るので、ステップＳ３１〜Ｓ３５を再度実行する。ＤＭ画像ファイルがＤＭ画像データ記録部３０に保存されているときは、作業対象のＤＭ画像ファイルが存在するので、データベース９０の配信画像カテゴリーマスターテーブルから１件のレコードを読み込む（ステップＳ３７）。
【０１４８】
次に、配信画像カテゴリーマスターテーブルの末端（ＥＯＦ、End Of File）か否かを判断し（ステップＳ３８）、末端であれば画像変換処理を終了する。末端でなければ（つまり、ＤＭ画像ファイルが画像変換処理をする最後のものでなければ）、データベース９０の配信画像カテゴリーマスターテーブルにあるサイズの一つとなるように、ＤＭ画像ファイルを圧縮し（ステップＳ３９）、圧縮したＤＭ画像ファイルをデータベース９０の配信画像テーブルに格納する（ステップＳ４０）。
【０１４９】
そして、ステップＳ３７の直前に戻り、配信画像カテゴリーマスターテーブルの末端に到達するまで（つまり、データベース９０の配信画像カテゴリーマスターテーブルにあるすべてのカテゴリーとすべてのサイズのＤＭ画像ファイルが生成されるまで）、ステップＳ３７〜Ｓ４０を繰り返し実行する。
【０１５０】
こうして、携帯電話機１００の各機種に整合する（最適な）ＤＭ画像ファイル（調整済み画像データ）が生成され、携帯電話機１００の機種毎にデータベース９０の配信画像テーブルに格納される。
【０１５１】
カテゴリーは、例えば、次のようなカテゴリー１〜９に設定されることができる（図２１を参照）。なお、画像ファイルの形式は、ここではＪＰＥＧ形式としているが、ＪＰＥＧ以外の形式、例えばGＩＦ、ＢＭＰなどとしてもよい。
【０１５２】
カテゴリー１：  高解像度機種用で、画像サイズは４８０ピクセル×６４０ピクセル、ファイルの重さ（大きさ）は約３０KB〜３５KBとする。カテゴリー１に属する携帯電話機の代表的な機種としては、ＮＴＴｄｏｃｏｍｏのＰ−０１Ａ、ａｕのＷ５４ＳＡ、ＳｏｆｔＢａｎｋの９３５ＳＨがある。
【０１５３】
カテゴリー２：  中解像度機種用で、画像サイズは２４０ピクセル×３２０ピクセル、ファイルの重さ（大きさ）は約１０KB〜１５KBとする。カテゴリー２に属する携帯電話機の代表的な機種としては、ＮＴＴｄｏｃｏｍｏのＳＯ７０６ｉ、ａｕのＷ６１Ｋ、ＳｏｆｔＢａｎｋの８３２Ｐがある。
【０１５４】
カテゴリー３〜４：  配信制限Iのある中解像度機種用で、画像サイズは、カテゴリー２と同様に２４０ピクセル×３２０ピクセルであるが、機種毎にファイルの重さ（大きさ）に制限がある。ＮＴＴｄｏｃｏｍｏのＳＨ２１０１Ｖでは、ファイルの重さ（大きさ）が１０ＫＢ以下に固定される。ＳｏｆｔＢａｎｋのＶ３０１Ｔでは、ファイルの重さ（大きさ）が６ＫＢ以下に固定される。
【０１５５】
カテゴリー５〜７：  配信制限IIのある低解像度機種用で、画像サイズは、１２０ピクセル×１６０ピクセル、ファイルの重さ（大きさ）は６KB以下に制限される。カテゴリー４に属する携帯電話機の代表的な機種としては、ＮＴＴｄｏｃｏｍｏのＬ６００ｉ、ａｕのＡ１４０１Ｋ、ＳｏｆｔＢａｎｋのＪ−Ｎ０４がある。
【０１５６】
カテゴリー８：  受信不可の機種用（手書きＤＭ配信サービスの対象外）である。カテゴリー８に属する携帯電話機の代表的な機種としては、ＮＴＴｄｏｃｏｍｏのＤ２０９ｉ、ａｕのＡ１３０４Ｔ、ＳｏｆｔＢａｎｋのＪ−ＳＨ０３がある。
【０１５７】
カテゴリー９：  パソコン用である。
【０１５８】
図２１は、オリジナル画像と携帯電話機１００に配信される画像との関係を示す説明図である。
【０１５９】
ＤＭ画像配信システム１に、ファクシミリ装置２００で図２１に示した来店に対する礼状の画像が送信されてきて、それがＤＭ画像受信部２０でデジタル化されて生成された画像ファイルが、１７２８ピクセル×２２８２ピクセル、は約５５０ＫＢであったと仮定する。この場合、上述したカテゴリー１〜９に従って各々の携帯電話機１００に配信されたとすると、カテゴリー１に属する携帯電話機１００には、４８０ピクセル×６４０ピクセル、約３０ＫＢ〜３５ＫＢの画像ファイルが送信される。
【０１６０】
カテゴリー２に属する携帯電話機１００には、２４０ピクセル×３２０ピクセル、約１０ＫＢ〜１５ＫＢの画像ファイルが送信される。
【０１６１】
カテゴリー３〜４に属する携帯電話機１００には、２４０ピクセル×３２０ピクセルで、機種毎にファイルの重さ（大きさ）が調整された画像ファイルがそれぞれ送信される。例えば、ＮＴＴｄｏｃｏｍｏのＳＨ２１０Ｖでは１０ＫＢ以下に固定され、ＳｏｆｔＢａｎｋのＶ３０１Ｔでは６ＫＢ以下に固定される。
【０１６２】
カテゴリー５〜７に属する携帯電話機１００には、１２０ピクセル×１６０ピクセルで、ファイルの重さ（大きさ）が６ＫＢ以下に限定された画像ファイルがそれぞれ送信される。
【０１６３】
カテゴリー８に属する携帯電話機１００は、受信不可（手書きＤＭ配信サービスの対象外）であるから、画像ファイルは送信されない。
【０１６４】
カテゴリー９に属するのはパソコンであるから、オリジナル画像をそのまま送信することができる。
【０１６５】
（ＤＭ画像付きＥメール配信管理部の動作）
次に、ＤＭ画像付きＥメール配信管理部８０の動作について説明する。図１４は、ＤＭ画像付きＥメール配信管理部８０の動作を示すフローチャートである。
【０１６６】
まず、データベース９０の配信マスターテーブルの処理対象レコードを読み込む（ステップＳ５１）。次に、配信マスターテーブルの末端か否かを判断し（ステップＳ５２）、末端である場合は、エラーを出力して（ステップＳ６１）終了する。末端でない場合は、配信条件に従ってデータベース９０の顧客マスターテーブルから１件のレコードを読み込む（ステップＳ５３）。
【０１６７】
そして、顧客マスターテーブルの末端か否かを判断する（ステップＳ５４）。末端である場合は、配信件数が１件以上であるか否かを判断し（ステップＳ５９）、配信件数が１件以上でない（すなわち０件）である場合は、エラーを出力して（ステップＳ６１）終了する。配信件数が１件以上である場合は、データベース９０の配信結果ログサマリーテーブルに記録して（ステップＳ６０）終了する。
【０１６８】
顧客マスターテーブルの末端でない場合は、データベース９０の配信画像テーブルを検索して、Ｅメールに添付するＤＭ画像を選択する（ステップＳ５５）。その後、選択したＤＭ画像を用いてＤＭ画像付きＥメールを生成し（ステップＳ５６）、送信する（ステップＳ５７）。送信が完了すると、データベース９０の配信結果ログ個別テーブルに記録して（ステップＳ５８）から、ステップＳ５３の直前に戻る。そして、顧客マスターテーブルの末端に到達するまで、ステップＳ５３〜Ｓ６１を繰り返し実行する。こうして、配信条件で選択された全顧客の携帯電話機１００あてにＤＭ画像付きＥメールを配信すると、終了する。
【０１６９】
ＤＭ画像付きＥメールの例を図１８に示す。図１８の携帯電話機１００のスクリーンに表示されているＤＭ画像は、ファクシミリ装置２００から送られてきた手書きのＤＭである。比較のため、図１９に従来のメールマガジンによるＤＭ画像の例を示す。両者を比較すれば、図１９の従来のメールマガジンによるＤＭ画像よりも、図１８の手書きのＤＭ画像の方が、表現力、訴求力が圧倒的に大きいことが分かる。これは、ＤＭ画像配信システム１を使用することにより、契約店舗の商品・サービスについての広告効果を簡単に増加させることができることを意味している。
【０１７０】
（ＤＭ画像付きＥメールの配信フロー）
次に、ＤＭ画像付きＥメールの配信フローについて説明する。
【０１７１】
図２２は、ある契約店舗から送信されてきた画像をその顧客に配信する場合に、各顧客に配信される画像の違いを示す説明図である。
【０１７２】
ある契約店舗のファクシミリ装置２００からＤＭ画像配信システム１に、図２１に示した画像（来店お礼状）が送信されると、その画像はＤＭ画像受信部２０でデジタル化されてＪＰＥＧ形式の画像ファイルが生成され、ＤＭ画像データ記憶部３０に記憶される。ＤＭ画像変換部４０では、ＤＭ画像データ記憶部３０に記憶されている画像ファイルが読み出されて画像変換され、画像カテゴリー１〜９のサイズと重さの調整済みＤＭ画像ファイル(調整済みＤＭ画像データ)が生成される。こうして生成された９個の調整済みＤＭ画像ファイルは、一連の画像番号が付されてから、データベース９０の配信画像テーブルに格納され、あるいは、データベース９０の配信画像テーブルとリンクせしめられる。
【０１７３】
配信画像テーブルにより、各ジョブ番号に対応する配信動作において、どの配信画像カテゴリーに属するどの調整済みＤＭ画像ファイルが添付されるかが指定される。
【０１７４】
例えば、ジョブ番号０９１０２０−０００１（これはある契約店舗の登録された顧客全員への配信ジョブであると仮定する）に対応する配信動作では、そのジョブ番号に対応する配信日時（これは予め指定され、あるいは、図２１に示した画像を送信する際に指定される）に、最初の顧客の携帯電話機１００に送信されるＥメールには、各携帯電話機１００の機種に応じて、カテゴリー１に属し且つ画像番号０００１の調整済みＤＭ画像ファイルが添付され、二番目の顧客の携帯電話機１００に送信されるＥメールには、カテゴリー２に属し且つ画像番号が０００２の調整済みＤＭ画像ファイルが添付され、第三の顧客の携帯電話機１００に送信されるＥメールには、カテゴリー５に属し且つ画像番号が０００５の調整済みＤＭ画像ファイルが添付され、・・・・というように、一対一で指定される。
【０１７５】
なお、ジョブ番号０９１０２０−０００１に対応する配信日時は、予め指定されるか、図２１に示した画像を送信する際に指定される。後者の場合、配信日時はその画像の送信に使用した用紙の所定位置に記載される。ＤＭ画像配信システム１では、これをイメージスキャナ（図示せず）で読み取って、指定された配信日時を認識する。しかし、正確を期するため、担当者を置いて、配信日時を目視により確認する方が好ましい。
【０１７６】
図２２の例では、顧客Ａが所有する携帯電話機１００はＮＴＴｄｏｃｏｍｏのＰ−０１Ａであるから、画像カテゴリー１の画像が対応する。よって、その携帯電話機１００には、４８０ピクセル×６４０ピクセルで、約３２ＫＢの画像ファイルが選択されて送信される。また、顧客Ｂが所有する携帯電話機１００はａｕのＷ６１Ｋであるから、画像カテゴリー２の画像が対応する。よって、２４０ピクセル×３２０ピクセルで、約１１ＫＢの画像ファイルが選択されて送信される。顧客Ｃが所有する携帯電話機１００はＳｏｆｔＢａｎｋのＪ−Ｎ０４であるから、画像カテゴリー５の画像が対応する。よって、１２０ピクセル×１６０ピクセルで、約５．７ＫＢの画像ファイルが選択されて送信される。
【０１７７】
このように、ＤＭ画像配信システム１では、指定された配信条件にしたがって、携帯電話機１００の機種に応じて最適な画像ファイルが自動的に選択されて配信されるので、各携帯電話機１００において正常に表示されることができる。
【０１７８】
なお、本登録の際に携帯電話機１００の機種がＤＭ画像データの受信または表示ができないものであることが判明した場合には、「大変申し訳ございませんが、お客様の携帯電話はサービス対象外です。」という表示を顧客携帯電話機１００に表示し、契約店舗の情報をＥメールで受け取るサービスは受けられない旨を伝える。顧客に関する情報はデータベース９０に登録されない。他方、データベース９０の管理者に向けて、添付画像ファイルを表示できない機種での登録手続があった旨をＥメールで通知する。
【０１７９】
以上説明したように、本発明の一実施形態に係るＤＭ画像配信システム１では、所定のＥメールアドレス登録用ウェブサイト１５を設けて顧客携帯電話機１００のＥメールアドレスと店舗ＩＤとが登録されるのを待機しており、そのウェブサイト１５で顧客携帯電話機１００のＥメールアドレスと店舗ＩＤとが登録されると、そのＥメールアドレスとその店舗ＩＤとが関連づけて記憶される。
【０１８０】
また、Ｅメールアドレス登録用ウェブサイト１５における顧客携帯電話機１００のＥメールアドレスと店舗ＩＤの登録時には、その顧客携帯電話機１００の機種判別情報としてユーザーエージェント値が取得され、取得されたユーザーエージェント値を用いて前記登録に係る顧客携帯電話機１００の機種が判別される。そして、判別された顧客携帯電話機１００の機種と、登録されたＥメールアドレス及び店舗ＩＤとは、相互に関連づけてデータベース９０に記憶される。
【０１８１】
契約店舗から店舗内ファクシミリ装置２００により送信されて来たＤＭ画像をＤＭ画像受信部２０で受信すると、そのＤＭ画像が所定の複数機種の顧客携帯電話機１００でそれぞれ正常に表示されるように調整した複数の調整済み画像データが、ＤＭ画像変換部４０により生成される。そして、こうして生成された複数の前記調整済み画像データは、前記複数機種のそれぞれに関連付けてデータベース９０に記憶される。
【０１８２】
配信時には、契約店舗により指定された配信条件にしたがい、登録されたＥメールアドレスの中からＤＭ画像を配信すべきＥメールアドレスが選択されると共に、これらＥメールアドレスの各々に対応する顧客携帯電話機１００の機種に適合する調整済み画像データが選択される。さらに、選択された調整済み画像データを含み且つ選択されたＥメールアドレスの各々を宛先とした複数の電子メールが生成され、送信される。
【０１８３】
よって、Ｅメールアドレス登録用ウェブサイト１５での顧客携帯電話機１００のＥメールアドレスと店舗ＩＤの登録の際には、そのＥメールアドレスとその店舗ＩＤとが関連づけて記憶されるが、登録時に取得されるユーザーエージェント値によりその顧客携帯電話機１００の機種が判明する。判明した顧客携帯電話機１００の機種は、登録されたＥメールアドレス及び店舗ＩＤと関連づけて記憶されるので、その店舗ＩＤに対応する契約店舗の顧客が所有する携帯電話機（顧客携帯電話機）１００の機種とＥメールアドレスとが、組み合わせて記憶される。
【０１８４】
このため、その顧客は、Ｅメールアドレス登録用ウェブサイト１５にアクセスして自己の携帯電話機１００のＥメールアドレスと店舗ＩＤとを登録するだけで足り、自己の個人情報や携帯電話機１００の機種の登録等の面倒な作業が不要である。よって、契約店舗は、顧客の個人情報の漏洩といった問題を生じることなく顧客形態電話機１００のＥメールアドレスの登録数を増やすことができる。
【０１８５】
契約店舗からファクシミリ装置２００により送信されてきた画像をＤＭ画像受信部２０で受信すると、そのＤＭ画像が所定の複数機種の携帯電話機１００でそれぞれ正常に表示されるように調整した複数の調整済み画像データが生成される。そして、生成された複数の調整済み画像データは、前記所定の複数機種に関連付けて記憶される。
【０１８６】
契約店舗により指定された配信条件にしたがって前記ＤＭ画像を配信する際には、その配信条件にしたがって登録済みのＥメールアドレスの中から前記ＤＭ画像を配信すべきものが選択されると共に、これら選択されたＥメールアドレスの各々に対応して顧客携帯電話機１００の機種に適合する前記調整済み画像データが選択される。そして、こうして選択された調整済み画像データを含み且つ選択されたＥメールアドレスの各々を宛先とした複数の電子メールが生成され、送信される。
【０１８７】
よって、契約店舗の担当者は、コンピュータの操作を一切することなく、表現力の豊富な手書きのＤＭや礼状、挨拶状、誕生祝い等の種々の画像をファクシミリ装置２００で送信するだけで、その画像を当該契約店舗の顧客携帯電話機１００に一斉配信することができると共に、そのＤＭ画像を顧客携帯電話機１００の機種の相違に無関係に正常に表示させることができる。
【０１８８】
なお、ＤＭ画像受信部２０が、契約店舗のパソコン２１０からＥメール等で送信されて来たデジタル画像データ（画像ファイル）を受信する機能を有していてもよい。この場合、複数の調整済み画像データが、こうして受信したデジタル画像データを用いて生成される。こうすると、場合に応じて、ファクシミリ装置２００による画像とデジタル画像データのいずれか便利な方を利用することができる利点がある。
【０１８９】
携帯電話機１００がＤＭ画像の受信または表示ができない機種である場合には、Ｅメールには調整済み画像データを添付せず、その代わりに、図１５（ｃ）の仮登録完了Ｅメールの場合と同様に、ＤＭ画像を閲覧できるウェブサイトのＵＲＬを記述するようにしてもよい。この場合、携帯電話機１００で当該ＵＲＬにアクセスすれば、携帯電話機１００がＤＭ画像の受信または表示ができない機種であっても、ＤＭ画像の閲覧（表示）が可能となる利点がある。
【０１９０】
（変形例）
上述した実施形態は本発明を具体化した例を示すものである。したがって、本発明は上記実施形態に限定されるものではなく、本発明の趣旨を外れることなく種々の変形が可能であることは言うまでもない。
【０１９１】
例えば、上述した実施形態では、携帯電話機１００の機種判別情報としてユーザーエージェント値を使用しているが、本発明はこれには限定されない。機種判別情報としては、ユーザーエージェント値以外の値を使用してもよいことは言うまでもない。
【０１９２】
また、上述した実施形態では、仮登録完了Ｅメールを受信した顧客がアクセスするＥメールアドレス登録用ウェブサイト１５が、全契約店舗に対し共通であるが、契約店舗毎に別個にウェブサイトを設けてもよい。そうすれば、店舗ＩＤ（送信元識別情報）の入力が省略でき、便利である。
【０１９３】
さらに、上述した実施形態では、送信元として店舗が使用されているが、本発明はこれに限定されない。ファクシミリ装置を設置できる場所であればよく、事務所でも住宅でもよい。また、ファクシミリ装置は、紙に描いた画像をイメージスキャナ等で読み取ってから画像配信システム１宛に送信する機能を有していれば足り、単機能機でも複合機でもよいし、それらのソフトウェアを内蔵したコンピュータやシステムでもよい。
【符号の説明】
【０１９４】
１  ＤＭ画像配信システム
１０  顧客Ｅメールアドレス登録部
１１  仮登録部
１２ａ  ウェブサイト生成部
１２ｂ  本登録部
１３  機種判別情報取得部
１４  機種登録部
１５  メールアドレス登録用ウェブサイト
２０  ＤＭ画像受信部
３０  ＤＭ画像データ記憶部
４０  ＤＭ画像変換部
５０  携帯電話機情報管理部
６０  顧客管理部
７０  店舗管理部
８０  ＤＭ画像付きＥメール配信管理部
８１  顧客Ｅメールアドレス選択部
８２  ＤＭ画像データ選択部
８３  ＤＭ画像付きＥメール生成部
８４  ＤＭ画像付きＥメール送信部
８５  ＤＭ画像付きＥメール配信ログ生成部
９０  テータベース
１００  携帯電話機
１００  顧客携帯電話機
２００  店舗内ファクシミリ装置
２１０  パソコン
３００  インターネット
４００  公衆電話回線網
【図１】
2011096150.tif 000003
【図２】
2011096150.tif 000004
【図３】
2011096150.tif 000005
【図４】
2011096150.tif 000006
【図５】
2011096150.tif 000007
【図６】
2011096150.tif 000008
【図７】
2011096150.tif 000009
【図８】
2011096150.tif 000010
【図９】
2011096150.tif 000011
【図１０】
2011096150.tif 000012
【図１１】
2011096150.tif 000013
【図１２】
2011096150.tif 000014
【図１３】
2011096150.tif 000015
【図１４】
2011096150.tif 000016
【図１５】
2011096150.tif 000017
【図１６】
2011096150.tif 000018
【図１７】
2011096150.tif 000019
【図１８】
2011096150.tif 000020
【図１９】
2011096150.tif 000021
【図２０】
2011096150.tif 000022
【図２１】
2011096150.tif 000023
【図２２】
2011096150.tif 000024